(57)【特許請求の範囲】
【請求項１】
空気を吸い込んで圧縮する空気圧縮部と、
該空気圧縮部を駆動する駆動部と、
前記空気圧縮部により生成された圧縮空気を貯留するタンクと、
前記タンク内の圧力を検出する圧力検出手段と、
前記圧力検出手段により検出された前記タンク内の圧力値が予め設定された上限値に達したとき前記駆動部を停止させ、前記タンク内の圧力が予め設定された下限値まで低下したときに前記駆動部を駆動させる駆動部制御手段と、
を有する空気圧縮機において、
前記圧力検出手段により検出された前記タンク内の圧力変化に応じて段階的に点灯または消灯し前記タンク内の圧力を表示する表示手段と、
前記圧力検出手段により検出された前記タンク内の圧力が前記上限値に達したときから、前記下限値に低下するまで、前記表示手段により表示された上限値の表示を保持させ、前記圧力検出手段により検出されたタンク内の圧力が前記上限値に達した後、前記下限値に低下したことを検出したときに、前記上限値の表示を解除して、前記圧力検出手段により検出されているタンク内の圧力を前記表示手段に表示させる表示制御手段と、
を備えたことを特徴とする空気圧縮機。
【発明の詳細な説明】
【０００１】
【発明の属する技術分野】
本発明は空気圧縮機に係り、特に空気圧縮部により生成された圧縮空気を貯留するタンクの圧力に応じて駆動部を駆動または停止させるよう構成された空気圧縮機に関する。
【０００２】
【従来の技術】
例えば、建築現場などでは、圧縮空気の圧力で釘を木材などに打ち込む釘打ち機を使用している。このように、屋外で使用される釘打ち機は、搬送可能な空気圧縮機で生成された圧縮空気を供給されて釘装填部に装填された釘を空気圧力で打ち込むように構成されている。
【０００３】
この種の空気圧縮機は、空気を吸い込んで圧縮するピストン・シリンダ部（空気圧縮部）と、ピストンを駆動するモータ（駆動部）と、ピストン・シリンダ部及びモータを覆うカバーと、圧縮空気を貯留するタンクとを備えてなる。
【０００４】
また、空気圧縮機に搭載された制御部は、タンクの圧力を監視しており、タンク内の圧力が上限圧力値に達するまでモータを駆動させて圧縮空気をタンクに充填し、タンク内の圧力が上限圧力値に達すると、モータを一時的に停止させ、タンク内の圧力が下限圧力値に低下すると、再びモータを起動させてタンクへ圧縮空気を充填する。
【０００５】
また、空気圧縮機では、タンク内に充填された圧力が予め設定された上限圧力に達していることを表示する表示手段を設けることが検討されている。この表示手段としては、例えば、発光ダイオード（ＬＥＤ）を点灯させてタンク圧力が上限圧力に達したことを表示する構成が考えられている。
【０００６】
【発明が解決しようとする課題】
しかしながら、上記のように発光ダイオード（ＬＥＤ）を点灯させてタンク圧力を表示する構成とした場合、微小な圧力変動表示のちらつきを防止するため、ヒステリシスを持たせることが検討されている。
【０００７】
例えば、点灯圧力値に対し、消灯圧力値は、各表示圧力−０．２ＭＰａとすることにより、温度変化などによる微小な圧力変動により発光ダイオードの表示がちらつくことを防止できる。さらに、ヒステリシスの幅は、実際のタンク内圧力と表示圧力との差をあまりつけないように設定することが考えられる。
【０００８】
ところが、上述したようにすると、以下のような問題が生じる。
タンク内圧力が上限値に達すると、空気圧縮機の運転を停止し、タンク内圧力が下限値まで下がると、空気圧縮機が再起動するということを表示器上で表示させたいという要望がある。
【０００９】
しかし、上記のように点灯圧力値と消灯圧力値とを異ならせるようにしてヒステリシスを持たせるように圧力設定を行うと、発光ダイオードが消灯した後、しばらくして空気圧縮機の運転が再開されることになる。そのため、作業者は、タンク圧力が再起動圧力（下限値）に達したのを表示器でみてからしばらくしないと空気圧縮機が動かないのを見て、故障と勘違いする可能性が生じる。
【００１０】
そこで、本発明は上記課題を解決した空気圧縮機を提供することを目的とする。
【００１１】
【課題を解決するための手段】
上記課題を解決するため、本発明は以下のような特徴を有する。
本発明は、空気を吸い込んで圧縮する空気圧縮部と、該空気圧縮部を駆動する駆動部と、前記空気圧縮部により生成された圧縮空気を貯留するタンクと、前記タンク内の圧力を検出する圧力検出手段と、前記圧力検出手段により検出された前記タンク内の圧力値が予め設定された上限値に達したとき前記駆動部を停止させ、前記タンク内の圧力が予め設定された下限値まで低下したときに前記駆動部を駆動させる駆動部制御手段と、を有する空気圧縮機において、前記圧力検出手段により検出された前記タンク内の圧力変化に応じて段階的に点灯または消灯し前記タンク内の圧力を表示する表示手段と、前記圧力検出手段により検出された前記タンク内の圧力が前記上限値に達したときから、前記下限値に低下するまで、前記表示手段により表示された上限値の表示を保持させ、前記圧力検出手段により検出されたタンク内の圧力が前記上限値に達した後、前記下限値に低下したことを検出したときに、前記上限値の表示を解除して、前記圧力検出手段により検出されているタンク内の圧力を前記表示手段に表示させる表示制御手段と、を備えたものである。
【００１２】
【発明の実施の形態】
以下、図面と共に本発明の一実施例について説明する。
図１は本発明になる空気圧縮機の一実施例を示す斜視図である。図２はカバー２２を外した状態を示す斜視図である。図３は空気圧縮機の側面図である。図４は空気圧縮機の平面図である。図５は空気圧縮機の正面図である。図６は空気圧縮機の背面図である。
【００１３】
図１乃至図６に示されるように、空気圧縮機１０は、例えば、建築現場などの屋外において、空圧式の釘打ち機（図示せず）に圧縮空気を供給するように構成された小型コンプレッサである。
【００１４】
また、空気圧縮機１０は、フレーム１２に円筒形状に形成された一対のタンク１４，１６が平行に支持されており、タンク１４，１６の上部には圧縮空気を生成する空気圧縮部１８と、空気圧縮部１８を駆動する駆動部２０とが搭載されている。さらに、タンク１４，１６の上部には、空気圧縮部１８及び駆動部２０を覆うように一体成型された樹脂製のカバー２２が取り付けられている。
【００１５】
また、タンク１４，１６の両端下部には、脚部２４〜２７が設けられている。さらに、フレーム１２の両端部には、コ字状に形成された把持部２８，３０が固着されている。空気圧縮機１０は、把持部２８，３０を把持されて搬送される。
【００１６】
また、空気圧縮機１０は、空気圧縮部１８の両側に空気吐出部３２，３４が設けられている。空気吐出部３２，３４は、タンク１４，１６の取り出し管路（図示せず）に接続された圧力調整弁３６，３８と、圧力調整弁３６，３８により調整された吐出圧力値を表示する圧力計４０，４２と、圧力調整弁３６，３８により調整された圧力の圧縮空気を吐出する吐出口４４〜４７とを有する。
【００１７】
圧力調整弁３６，３８は、ハンドル３６ａ，３８ａが回わされて吐出圧力を調整する。また、吐出口４４〜４７は、釘打ち機に接続されたホース（図示せず）が接続されるクイックカプラが設けられている。
【００１８】
さらに、カバー２２の上部には、操作パネル４８が設けられている。この操作パネル４８には、電源スイッチ及び各種表示ランプが設けられているが、物が置かれても電源オフにならないようにカバー２２の凹部２３内に設けられている。
【００１９】
図２に示されるように、カバー２２は、着脱自在に取り付けられており、空気圧縮部１８及び駆動部２０のメンテナンス時にはフレーム１２から外される。このように、カバー２２が外されると、タンク１４，１６の上部に設けられた空気圧縮部１８及び駆動部２０の他に圧力調整弁３６，３８、圧力計４０，４２、吐出口４４〜４７が露出された状態になる。
【００２０】
ここで、圧縮部１８及び駆動部２０の構成について説明する。
図７は圧縮部１８及び駆動部２０の内部構成を示す横断面図である。
図７は圧縮部１８及び駆動部２０の内部構成を示す横断面図である。
【００２１】
図７に示されるように、圧縮部１８は、ケーシング６０の両側に配置されたピストン・シリンダ機構６２，６４を有する。このピストン・シリンダ機構６２，６４は、１８０°異なる向きに形成されている。
【００２２】
ピストン・シリンダ機構６２，６４は、ピストン６２ａ，６４ａと、シリンダ６２ｂ，６４ｂと、連接棒６２ｃ，６４ｃと、シリンダヘッド６２ｄ，６４ｄとを有する。尚、図７において、ピストン６４ａは、隠れて見えない。
【００２３】
また、ケーシング６０は、圧縮部１８の回転部分を収納する第１の部屋６０ａと、圧縮用空気の導入経路に設けられたフィルタ６６を収納する第２の部屋６０ｂと、駆動部２０のモータ６８を収納する第３の部屋６０ｃとを有する。
【００２４】
この圧縮部１８は、２段圧縮方式で空気を高圧に圧縮しており、第１段のピストン・シリンダ機構６２で空気導入口２２ｍから導入された空気を圧縮した後、第２段のピストン・シリンダ機構６４でさらに圧縮してタンク１４，１６に貯留する。尚、タンク１４，１６は、互いに連通されているので、同じ圧力に保持されている。
【００２５】
また、第１段のピストン・シリンダ機構６２と第２段のピストン・シリンダ機構６４との間は、連通管（図示せず）を介して接続されている。
【００２６】
連接棒６２ｃ，６４ｃは、一端がピストン６２ａ，６４ａと一体に形成されており、他端が軸受７０，７２を介して回転軸７４に支持されている。この回転軸７４は、ケーシング６０の隔壁６０ｄに保持された軸受７６と、モータカバー７９の内部に保持された軸受７８とにより回転自在に軸承されている。
【００２７】
回転軸７４の一端７４ａには、圧縮用空気を第１の空気導入口２２ｍから吸い込むための第１のファン（羽根車）８０が固着されている。また、回転軸７４の他端７４ｂには、モータ冷却用の空気を空気導入口２２ｎから吸い込むための第２のファン（羽根車）８２が固着されている。
【００２８】
第１のファン８０により空気導入口２２ｍから吸い込まれた空気は、ケーシング６０及びピストン・シリンダ機構６２，６４の表面に吹き付けられて冷却すると共に、その一部がフィルタ６６を通過してろ過された後に第１段のシリンダ６２ｂで圧縮された後、第２段のシリンダ６４ｂに供給されて更に圧縮される。
【００２９】
また、第２のファン８２は、モータカバー７９の入り口７９ａに設けられており、モータ６８を冷却するための空気を吸い込んでモータ６８の周囲に送風する。モータ６８は、回転軸７４に固定されたマグネット（ロータ）６８ａと、マグネット６８ａの外周に配置されたステータ６８ｂと、ステータ６８ｂの内部に巻回されたコイル６８ｃから構成されている。このモータ６８は、小型化及び軽量化されており、回転軸７４を介してピストン６２ａ，６４ａを往復動させると共に、ファン８０，８２を回転駆動する。
【００３０】
また、駆動部２０は、円筒状のモータカバー７８の内部にファン８２とモータ６８が収納されているので、このファン８２の回転によって空気導入口２２ｎから外部の空気を吸い込み、モータカバー７９の内部を通過して複数の排気孔２２ｓから排気される。モータカバー７９の内部では、図８中矢印で示すように、ファン８２の回転によって生じた空気流の流速が高まり、この空気流がモータ６８の発熱を効率良く奪ってモータ６８を冷却される。
【００３１】
ここで、操作パネル４８の構成について説明する。
図８は操作パネル４８の構成を示す平面図である。
図８に示されるように、操作パネル４８は、電源ＯＮスイッチ９０と、電源ＯＦＦスイッチ９２と、タンク１４，１６内の圧力変化を６段階（０．５ＭＰａずつ０．５ＭＰａ〜３．０ＭＰａ）に表示する圧力表示用赤色ＬＥＤ８８１〜８８６（▲１▼〜▲６▼）と、通電の有無を表示する通電表示用赤色ＬＥＤ８８７（▲７▼）と、運転状態を表示する運転状態表示用緑色ＬＥＤ８８８（▲８▼）とが設けられている。
【００３２】
電源ＯＮスイッチ９０及び電源ＯＦＦスイッチ９２は、押圧操作されたときにオフからオンに切り替わるメンブレンスイッチ（モーメンタリスイッチ）からなり、押圧操作されない状態では、オフのままである。
【００３３】
上記ＬＥＤ８８１〜８８８（▲１▼〜▲８▼）は、操作パネル４８の下方に配置された基板（図示せず）上に半田付けされた発光ダイオードからなり、操作パネル４８には、長方形状のレンズが露出されている。尚、赤色ＬＥＤ８８１〜８８６（▲１▼〜▲６▼）は、タンク１４，１６内の圧力変化に応じて段階的に点灯または消灯され、点灯数によってタンク１４，１６内の圧力値を表示する。
【００３４】
図９は空気圧縮機１０に設けられた各電気系統の構成を示すブロック図である。
図９に示されるように、空気圧縮機１０の制御部９４には、上記ＬＥＤ８８１〜８８８（▲１▼〜▲８▼）、モータ６８、電源ＯＮスイッチ９０、電源ＯＦＦスイッチ９２の他に圧力センサ９８が接続されている。制御部９５では、後述するように圧力センサ９８により検出された圧力値に応じたモータ６８のオン・オフ制御と、圧力センサ９８により検出された圧力値に応じて圧力表示用赤色ＬＥＤ８８１〜８８６（▲１▼〜▲６▼）を段階的に点灯または消灯させる圧力表示制御を行うための制御とを行う。
【００３５】
また、圧力センサ９８は、タンク１４，１６内の圧力を検出するための圧力検出手段であり、圧力の変化に応じた信号（電圧）を出力するように構成されている。
【００３６】
図１０（Ａ）〜（Ｈ）はタンク内圧力変化及び圧力表示用赤色ＬＥＤ８８１〜８８６（▲１▼〜▲６▼）及びモータ６８の制御動作例を示すタイミングチャートである。尚、本実施例では、タンク１４，１６に充填される圧力の上限圧力値を３．０ＭＰａに設定され、モータ６８の再起動を行うタンク圧力の下限圧力値を２．５ＭＰａに設定されるものとする。
図１０（Ａ）に示されるように、空気圧縮機１０の運転開始（時間Ｔ１）によりタンク１４，１６内の圧力が徐々に上昇し、タンク１４，１６内の圧力が予め設定された上限圧力３．０ＭＰａに達すると（時間Ｔ７）、図１０（Ｈ）に示されるように、モータ６８がオフ（待機状態）になり、その間にタンク１４，１６内の圧縮空気が釘打機（図示せず）等により消費されてタンク圧力が降下する。
【００３７】
そして、図１０（Ａ）に示されるように、タンク１４，１６内の圧力が予め設定された下限圧力２．５ＭＰａに低下すると（時間Ｔ８）、図１０（Ｈ）に示されるように、モータ６８の運転が再開されてタンク１４，１６への圧縮空気の供給が行われる。これにより、タンク１４，１６内の圧力は、圧縮空気の供給に伴って徐々に上昇する。
【００３８】
その後、タンク１４，１６内の圧力が上限圧力３．０ＭＰａに上昇すると（時間Ｔ９）、モータ６８が再び停止して待機状態になる。このように、空気圧縮機１０は、通常の運転モードにおいて、圧縮運転状態と待機状態とが交互に行われる。
【００３９】
図１０（Ｂ）に示されるように、圧力表示用赤色ＬＥＤ８８１（▲１▼）は、圧力センサ９８により検出された圧力値が第１段圧力０．５ＭＰａに達すると（時間Ｔ２）、点灯してタンク１４，１６内の圧力値が０．５ＭＰａに達したことを表示する。
【００４０】
図１０（Ｃ）に示されるように、圧力表示用赤色ＬＥＤ８８２（▲２▼）は、圧力センサ９８により検出された圧力値が第２段圧力１．０ＭＰａに達すると（時間Ｔ３）、点灯してタンク１４，１６内の圧力値が１．０ＭＰａに達したことを表示する。
【００４１】
図１０（Ｄ）に示されるように、圧力表示用赤色ＬＥＤ８８３（▲３▼）は、圧力センサ９８により検出された圧力値が第３段圧力１．５ＭＰａに達すると（時間Ｔ４）、点灯してタンク１４，１６内の圧力値が１．５ＭＰａに達したことを表示する。
【００４２】
図１０（Ｅ）に示されるように、圧力表示用赤色ＬＥＤ８８４（▲４▼）は、圧力センサ９８により検出された圧力値が第４段圧力２．０ＭＰａに達すると（時間Ｔ５）、点灯してタンク１４，１６内の圧力値が２．０ＭＰａに達したことを表示する。
【００４３】
図１０（Ｆ）に示されるように、圧力表示用赤色ＬＥＤ８８５（▲５▼）は、圧力センサ９８により検出された圧力値が第５段圧力２．５ＭＰａに達すると（時間Ｔ６）、点灯してタンク１４，１６内の圧力値が２．５ＭＰａに達したことを表示する。
【００４４】
図１０（Ｇ）に示されるように、圧力表示用赤色ＬＥＤ８８６（▲６▼）は、圧力センサ９８により検出された圧力値が第６段圧力３．０ＭＰａに達すると（時間Ｔ７）、点灯してタンク１４，１６内の圧力値が３．０ＭＰａに達したことを表示する。また、圧力表示用赤色ＬＥＤ８８６（▲６▼）は、圧力センサ９８により検出された圧力値が２．５ＭＰａ以下に低下すると（時間Ｔ８）、消灯してタンク１４，１６内の圧力値が第５段圧力２．５ＭＰａに低下したことを表示する。
【００４５】
さらに、圧力表示用赤色ＬＥＤ８８６（▲６▼）は、モータ６８のオン・オフに連動しており、タンク１４，１６内の圧力が第６段圧力３．０ＭＰａ（時間Ｔ９）に達してモータ６８の運転が停止されると共に、点灯する。また、圧力表示用赤色ＬＥＤ８８６（▲６▼）は、タンク１４，１６内の圧力が第５段圧力２．５ＭＰａ以下に低下してモータ６８の運転が再開されると共に、消灯する。
【００４６】
このように、圧力表示用赤色ＬＥＤ８８６（▲６▼）をモータ６８のオン・オフに連動して消灯または点灯させるため、モータ６８のオン・オフを作業者は、視覚で確認でき、故障してモータ６８が停止したのではないことを一目で分かるようにした。また、タンク圧力が上限圧力値３．０ＭＰａ付近で温度変化等により変動したとしてもモータ６８の運転が再開されるまで圧力表示用赤色ＬＥＤ８８６（▲６▼）が点灯した状態が継続されるので、圧力表示用赤色ＬＥＤ８８６（▲６▼）の表示が安定することになり、作業者に安心感を与えることが可能になる。
【００４７】
図１１は制御部９４が実行する制御処理を示すフローチャートである。
図１１において、制御部９４は、ステップＳ１１（以下「ステップ」を省略する）で空気圧縮機１０の電源コード（図示せず）のプラグがＡＣ１００Ｖのコンセントに差し込まれた後、電源ＯＮスイッチ９０がオンに操作されると、Ｓ１２に進み、モータ６８を駆動してピストン・シリンダ機構６２，６４による圧縮運転を開始させる。
【００４８】
次のＳ１３では、圧力センサ９８によりタンク１４，１６内の圧力値Ｐを測定開始する。続いて、Ｓ１４に進み、タンク１４，１６内の圧力値が第１段圧力０．５ＭＰａに達したかどうかをチェックする。Ｓ１４において、タンク１４，１６内の圧力値が第１段圧力０．５ＭＰａに達すると、Ｓ１５に進み、圧力表示用赤色ＬＥＤ８８１（▲１▼）を点灯させる（図１０（Ｂ）参照）。
【００４９】
次のＳ１６では、タンク１４，１６内の圧力値が第１段圧力０．５ＭＰａ以下に低下したかどうかをチェックする。Ｓ１６において、タンク１４，１６内の圧力値が第１段圧力０．５ＭＰａ以下に低下したときは、Ｓ１７に移行して圧力表示用赤色ＬＥＤ８８１（▲１▼）を消灯させる。そして、再度、Ｓ１４以降の処理を実行する。
【００５０】
また、Ｓ１６において、タンク１４，１６内の圧力値が第１段圧力０．５ＭＰａ以上であるときは、Ｓ１８に進み、タンク１４，１６内の圧力値が第２段圧力１．０ＭＰａに達したかどうかをチェックする。Ｓ１８において、タンク１４，１６内の圧力値が第２段圧力１．０ＭＰａに達すると、Ｓ１９に進み、圧力表示用赤色ＬＥＤ８８２（▲２▼）を点灯させる（図１０（Ｃ）参照）。
【００５１】
次のＳ２０では、タンク１４，１６内の圧力値が第２段圧力１．０ＭＰａ以下に低下したかどうかをチェックする。Ｓ２０において、タンク１４，１６内の圧力値が第２段圧力１．０ＭＰａ以下に低下したときは、Ｓ２１に移行して圧力表示用赤色ＬＥＤ８８２（▲２▼）を消灯させる。そして、再度、Ｓ１８以降の処理を実行する。
【００５２】
また、Ｓ２０において、タンク１４，１６内の圧力値が第２段圧力１．０ＭＰａ以上であるときは、Ｓ２２に進み、タンク１４，１６内の圧力値が第３段圧力１．５ＭＰａに達したかどうかをチェックする。Ｓ２２において、タンク１４，１６内の圧力値が第３段圧力１．５ＭＰａに達すると、Ｓ２３に進み、圧力表示用赤色ＬＥＤ８８３（▲３▼）を点灯させる（図１０（Ｄ）参照）。
【００５３】
次のＳ２４では、タンク１４，１６内の圧力値が第３段圧力１．５ＭＰａ以下に低下したかどうかをチェックする。Ｓ２４において、タンク１４，１６内の圧力値が第３段圧力１．５ＭＰａ以下に低下したときは、Ｓ２５に移行して圧力表示用赤色ＬＥＤ８８３（▲３▼）を消灯させる。そして、再度、Ｓ２２以降の処理を実行する。
【００５４】
また、Ｓ２４において、タンク１４，１６内の圧力値が第４段圧力２．０ＭＰａ以上であるときは、Ｓ２６に進み、タンク１４，１６内の圧力値が第４段圧力２．０ＭＰａに達したかどうかをチェックする。Ｓ２６において、タンク１４，１６内の圧力値が第４段圧力２．０ＭＰａに達すると、Ｓ２７に進み、圧力表示用赤色ＬＥＤ８８４（▲４▼）を点灯させる（図１０（Ｅ）参照）。
【００５５】
次のＳ２８では、タンク１４，１６内の圧力値が第４段圧力２．０ＭＰａ以下に低下したかどうかをチェックする。Ｓ２８において、タンク１４，１６内の圧力値が第４段圧力２．０ＭＰａ以下に低下したときは、Ｓ２９に移行して圧力表示用赤色ＬＥＤ８８４（▲４▼）を消灯させる。そして、再度、Ｓ２６以降の処理を実行する。
【００５６】
また、Ｓ２８において、タンク１４，１６内の圧力値が第４段圧力２．０ＭＰａ以上であるときは、Ｓ３０に進み、タンク１４，１６内の圧力値が第５段圧力２．５ＭＰａに達したかどうかをチェックする。Ｓ３０において、タンク１４，１６内の圧力値が第５段圧力２．５ＭＰａに達すると、Ｓ３１に進み、圧力表示用赤色ＬＥＤ８８５（▲５▼）を点灯させる（図１０（Ｆ）参照）。
【００５７】
次のＳ３１では、タンク１４，１６内の圧力値が第５段圧力２．５ＭＰａ以下に低下したかどうかをチェックする。Ｓ３１において、タンク１４，１６内の圧力値が第５段圧力２．５ＭＰａ以下に低下したときは、Ｓ３３に移行して圧力表示用赤色ＬＥＤ８８５（▲５▼）を消灯させる。そして、再度、Ｓ３０以降の処理を実行する。
【００５８】
また、Ｓ３２において、タンク１４，１６内の圧力値が第５段圧力２．５ＭＰａ以上であるときは、Ｓ３４に進み、タンク１４，１６内の圧力値が第６段圧力３．０ＭＰａに達したかどうかをチェックする。Ｓ３４において、タンク１４，１６内の圧力値が第６段圧力３．０ＭＰａに達すると、Ｓ３５に進み、圧力表示用赤色ＬＥＤ８８６（▲６▼）を点灯させる（図１０（Ｇ）中、時間Ｔ７参照）。
【００５９】
次のＳ３６では、モータ６８の運転を停止させる（図１０（Ｈ）参照）。続いて、Ｓ３７に進み、タンク１４，１６内の圧力値が第５段圧力２．５ＭＰａ以下に低下したかどうかをチェックする。Ｓ３７において、タンク１４，１６内の圧力値が第５段圧力２．５ＭＰａ以上であるときは、上記Ｓ３５に戻り、圧力表示用赤色ＬＥＤ８８６（▲６▼）の点灯を継続する。
【００６０】
しかし、Ｓ３７において、タンク１４，１６内の圧力値が第５段圧力２．５ＭＰａ以下であるときは、Ｓ３８に進み、圧力表示用赤色ＬＥＤ８８６（▲６▼）を消灯させる（図１０（Ｇ）中、時間Ｔ８参照）。続いて、Ｓ３９では、モータ６８の運転を再開してピストン・シリンダ機構６２，６４による圧縮運転を開始させる（図１０（Ｈ）参照）。
【００６１】
その後、Ｓ３０以降の処理を繰り返す。このように、圧力表示用赤色ＬＥＤ８８６（▲６▼）は、タンク１４，１６内の圧力値が第６段圧力３．０ＭＰａに達した時点でモータ６８の運転を停止と共に、点灯させてタンク圧力が上限圧力値３．０ＭＰａになったことを表示し、タンク１４，１６内の圧力値が第５段圧力２．５ＭＰａ以下に低下したときモータ６８の運転を再開すると共に、消灯される。そのため、タンク１４，１６内の圧力値が第６段圧力３．０ＭＰａに達した後、温度変化の影響により変動しても下限圧力値２．５ＭＰａ以下に低下するまで圧力表示用赤色ＬＥＤ８８６（▲６▼）が点灯した状態が維持され、圧力変動が生じても圧力表示用赤色ＬＥＤ８８６（▲６▼）を安定的に点灯表示して作業者に安心感を与えることが可能になる。また、作業者は、モータ６８のオン・オフを視覚で確認でき、故障してモータ６８が停止したのではないことを一目で分かるようにした。
【００６２】
また、上記Ｓ１８，Ｓ２２，Ｓ２６，Ｓ３０，Ｓ３４において、タンク１４，１６内の圧力値が各段階の目標圧力以下に低下したときは、夫々一段目標圧力を下げた段階に戻ってＬＥＤ点灯制御処理を行う。従って、タンク１４，１６内の圧力値が段階的に低下した場合には、圧力表示用赤色ＬＥＤ８８１〜８８６（▲１▼〜▲６▼）を段階的に消灯させて点灯数を減らすことでタンク圧力が低下していることを表示する。尚、空気圧縮機１０の電源コードのプラグをコンセントから抜いた場合には、タンク圧力に拘らず、圧力表示用赤色ＬＥＤ８８１〜８８６（▲１▼〜▲６▼）、通電表示用赤色ＬＥＤ８８７（▲７▼）、運転状態表示用緑色ＬＥＤ８８８（▲８▼）の全てが消灯する。
【００６３】
尚、上記実施例では、タンク圧力を圧力表示用赤色ＬＥＤ８８１〜８８６（▲１▼〜▲６▼）を段階的に点灯させることで表示したが、これに限らず、６個以上のＬＥＤを設けても良いし、あるいはＬＥＤ以外の表示灯、表示器（例えば、液晶ディスプレイなど）により表示する構成とすることもできる。
【００６４】
また、上記実施例では、ピストン・シリンダ機構６２，６４により２段圧縮する構成を一例として挙げたが、これに限らず、ピストン・シリンダ機構を一つあるいは３つ以上設けた構成のものでも良い。
【００６５】
また、上記実施例では、一対のタンク１４，１６を有する構成を一例として挙げたが、これに限らず、タンクを一つあるいは３つ以上設けた構成のものでも良い。
【００６６】
【発明の効果】
上述の如く、本発明によれば、圧力検出手段により検出されたタンク内の圧力が予め設定された上限値に達したときから、下限値に低下するまで、駆動部を停止させると共に表示手段により上限値の表示を保持させ、圧力検出手段により検出されたタンク内の圧力が上限値に達した後、下限値に低下したことを検出したとき、駆動部を駆動させると共に上限値の表示を解除するので、表示上、作業者はなぜ駆動部が今停止したのか、なぜ駆動部が今再起動したのかを視覚で確認することができるので、作業者に安心感を与えることができる。
【図面の簡単な説明】
【図１】本発明になる空気圧縮機の一実施例を示す斜視図である。
【図２】空気圧縮機のカバー２２を外した状態を示す斜視図である。
【図３】空気圧縮機の側面図である。
【図４】空気圧縮機の平面図である。
【図５】空気圧縮機の正面図である。
【図６】空気圧縮機の背面図である。
【図７】圧縮部１８及び駆動部２０の内部構成を示す横断面図である。
【図８】操作パネル４８の構成を示す平面図である。
【図９】空気圧縮機１０に設けられた各電気系統の構成を示すブロック図である。
【図１０】タンク内圧力変化及び圧力表示用赤色ＬＥＤ８８１〜８８６（▲１▼〜▲６▼）及びモータ６８の制御動作例を示すタイミングチャートである。
【図１１】制御部９４が実行する制御処理を示すフローチャートである。
【符号の説明】
１０  空気圧縮機
１２  フレーム
１４，１６  タンク
１８  空気圧縮部
２０  駆動部
２２  カバー
２４〜２７  脚部
２８，３０  把持部
３２，３４  空気吐出部
３６，３８  圧力調整弁
４０，４２  圧力計
４４〜４７  吐出口
４８  操作パネル
６０  ケーシング
６２，６４  ピストン・シリンダ機構
６６  フィルタ
６８  モータ
７９  モータカバー
８０  第１のファン
８２  第２のファン
８８１〜８８６  圧力表示用赤色ＬＥＤ
８８７  通電表示用赤色ＬＥＤ
８８８  運転状態表示用緑色ＬＥＤ
９０  電源ＯＮスイッチ
９２  電源ＯＦＦスイッチ
９４  制御部
９８  圧力センサ
【図１】
0004166022.tif 000002
【図２】
0004166022.tif 000003
【図３】
0004166022.tif 000004
【図４】
0004166022.tif 000005
【図５】
0004166022.tif 000006
【図６】
0004166022.tif 000007
【図７】
0004166022.tif 000008
【図８】
0004166022.tif 000009
【図９】
0004166022.tif 000010
【図１０】
0004166022.tif 000011
【図１１】
0004166022.tif 000012